【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
シートを搬送するシート搬送装置であって、
前記シート搬送装置の装置本体と、シートを搬送することが可能な搬送回転体と、前記搬送回転体を保持する保持部材と、を有する回転体ユニットと、前記回転体ユニットの一端側を支持する支持軸と、前記回転体ユニットの他端側を支持し、前記支持軸の軸線方向に移動することが可能な移動軸と、を備え、前記支持軸と前記移動軸による支持状態を解除することにより前記回転体ユニットを前記装置本体から取り外すことが可能なシート搬送装置において、
前記保持部材は、前記装置本体に設けられる被係合部と係合可能な係合部を有し、
前記支持状態が解除され、且つ、前記係合部が前記被係合部と係合している状態において、前記回転体ユニットを前記軸線方向と交差する方向に移動させることにより、前記係合部と前記被係合部との係合を解除し、前記回転体ユニットを前記装置本体から外すことが可能であることを特徴とするシート搬送装置。
【請求項２】
前記回転体ユニットは、前記支持状態において、前記搬送回転体の一端側が前記支持軸によって軸支され、他端側を前記移動軸によって軸支されることを特徴とする請求項１に記載のシート搬送装置。
【請求項３】
前記回転体ユニットは、前記搬送回転体を回転させるための搬送ギアを有し、前記搬送ギアは、前記支持軸と係合することが可能な係合溝を備え、
前記係合溝と前記支持軸とが係合することで前記搬送回転体が前記支持軸によって軸支されることを特徴とする請求項２に記載のシート搬送装置。
【請求項４】
前記搬送ギアは、前記搬送回転体の回転軸線上に配置され、前記支持軸は、駆動源からの駆動力を受けて回転することで、前記搬送ギアを介して前記搬送回転体を回転させることを特徴とする請求項３に記載のシート搬送装置。
【請求項５】
前記搬送回転体は、前記移動軸と係合することが可能な係合穴が形成されており、前記移動軸から前記支持軸に向かう方向に前記移動軸を移動させた際に、前記移動軸が前記係合穴と係合し前記搬送回転体が前記移動軸によって軸支されることを特徴とする請求項２乃至４のいずれか１項に記載のシート搬送装置。
【請求項６】
前記移動軸から前記支持軸に向かう方向に前記移動軸を移動させることにより、前記搬送回転体が前記支持軸に向かって付勢され、前記支持軸によって軸支されることを特徴とする請求項２乃至５のいずれか１項に記載のシート搬送装置。
【請求項７】
前記移動軸を前記回転体ユニットに向けて付勢する第１の付勢部材を備え、前記第１の付勢部材が前記移動軸を付勢することにより、前記移動軸から前記支持軸に向かう方向に前記移動軸が移動することを特徴とする請求項６に記載のシート搬送装置。
【請求項８】
前記支持状態において、前記第１の付勢部材による前記移動軸の付勢力に抗して前記回転体ユニットを前記軸線方向に移動させることにより、前記搬送回転体を前記支持軸から離間させることを特徴とする請求項７に記載のシート搬送装置。
【請求項９】
前記搬送回転体を前記支持軸から離間させた状態から、前記回転体ユニットを前記軸線方向に関して前記移動軸から前記支持軸に向かう方向に移動させて前記搬送回転体を前記移動軸から離間させることにより、前記回転体ユニットの前記支持軸と前記移動軸による前記支持状態を解除することを特徴とする請求項８に記載のシート搬送装置。
【請求項１０】
前記係合部は、前記軸線方向に関して開放された形状を有し、前記回転体ユニットは、前記係合部が前記被係合部との係合を維持した状態で前記軸線方向に移動することが可能であることを特徴とする請求項１乃至９のいずれか１項に記載のシート搬送装置。
【請求項１１】
前記係合部は、前記係合部と前記被係合部が係合した際に前記被係合部と当接する規制面を有し、
前記回転体ユニットは、前記規制面が前記被係合部に当接することにより前記軸線方向と交差する方向に関して、前記規制面と前記被係合部が当接する位置よりもさらに前記被係合部に向かう移動を規制されることを特徴とする請求項１乃至１０のいずれか１項に記載のシート搬送装置。
【請求項１２】
前記規制面が前記被係合部に当接することにより、前記回転体ユニットは、前記支持軸と前記移動軸によって支持されることが可能な位置に配置されることを特徴とする請求項１１に記載のシート搬送装置。
【請求項１３】
前記規制面が前記被係合部に当接した状態で、前記支持軸と前記移動軸と前記搬送回転体とが略同一の軸線上に配置されることを特徴とする請求項１１又は１２に記載のシート搬送装置。
【請求項１４】
前記保持部材は、前記被係合部と当接する当接部を有し、前記回転体ユニットは、前記係合部と前記被係合部が係合し前記当接部が前記被係合部に当接した状態で前記被係合部に保持されることを特徴とする請求項１乃至１３のいずれか１項に記載のシート搬送装置。
【請求項１５】
シートを収容する収容部を備え、前記回転体ユニットは、シート搬送方向に関して前記搬送回転体よりも上流側に、前記収容部に収容されたシートを前記搬送回転体に向けて給送する給送回転体を有し、前記給送回転体は前記保持部材によって保持されることを特徴とする請求項１乃至１４のいずれか１項に記載のシート搬送装置。
【請求項１６】
前記被係合部を付勢する第２の付勢部材を備え、前記収容部に収容されたシートに向かって前記第２の付勢部材が前記被係合部を付勢することにより、前記係合部と前記被係合部が係合した状態で前記回転体ユニットが前記収容部に収容されたシートに向かって付勢されることを特徴とする請求項１５に記載のシート搬送装置。
【請求項１７】
前記支持状態で前記回転体ユニットの姿勢を切り替える切替部材と、前記切替部材を付勢する第３の付勢部材と、を備え、前記第３の付勢部材は、前記切替部材を前記収容部に収容されたシートに向かって付勢することを特徴とする請求項１５に記載のシート搬送装置。
【請求項１８】
前記係合部は、前記軸線方向に関して開放された形状を有し、前記回転体ユニットは、前記係合部が前記被係合部との係合を維持した状態で前記軸線方向に移動することが可能であり、前記軸線方向に関して前記回転体ユニットを移動させる場合に、前記係合部は、前記切替部材と係合する状態と前記被係合部と係合する状態とに係合状態を切り替えることが可能であることを特徴とする請求項１７に記載のシート搬送装置。
【請求項１９】
前記係合部が前記切替部材と係合し前記回転体ユニットが前記切替部材に保持された状態で前記第３の付勢部材が前記切替部材を付勢することにより、前記回転体ユニットが前記収容部に収容されたシートに向かって付勢されることを特徴とする請求項１８に記載のシート搬送装置。
【請求項２０】
前記回転体ユニットが前記収容部に収容されたシートに向かって付勢されることにより、前記給送回転体が前記収容部に収容されたシートと当接することが可能であることを特徴とする請求項１６又は１９に記載のシート搬送装置。
【請求項２１】
前記移動軸は、前記軸線方向に関して、前記支持軸と前記移動軸とで前記回転体ユニットを支持する第１の位置と、前記第１の位置とは異なる第２の位置とに移動することが可能であることを特徴とする請求項１乃至２０のいずれか１項に記載のシート搬送装置。
【請求項２２】
前記移動軸を前記第２の位置に係止する係止機構を有することを特徴とする請求項２１に記載のシート搬送装置。
【請求項２３】
前記係合部は、前記軸線方向に関して開放された形状を有し、前記回転体ユニットは、前記係合部が前記被係合部との係合を維持した状態で前記軸線方向に移動することが可能であり、前記支持状態で前記回転体ユニットを前記支持軸から前記移動軸に向かう方向に移動させることにより、前記移動軸が前記第１の位置から前記第２の位置に移動することを特徴とする請求項２１又は２２に記載のシート搬送装置。
【請求項２４】
シートに画像を形成する画像形成部と、前記画像形成部において画像を形成されるシートを搬送する請求項１乃至２３のいずれか１項に記載のシート搬送装置と、を備えることを特徴とする画像形成装置。
【手続補正２】
【補正対象書類名】明細書
【補正対象項目名】０００８
【補正方法】変更
【補正の内容】
【０００８】
前述の課題を解決するために、本発明は、シートを搬送するシート搬送装置であって、前記シート搬送装置の装置本体と、シートを搬送することが可能な搬送回転体と、前記搬送回転体を保持する保持部材と、を有する回転体ユニットと、前記回転体ユニットの一端側を支持する支持軸と、前記回転体ユニットの他端側を支持し、前記支持軸の軸線方向に移動することが可能な移動軸と、を備え、前記支持軸と前記移動軸による支持状態を解除することにより前記回転体ユニットを前記装置本体から取り外すことが可能なシート搬送装置において、前記保持部材は、前記装置本体に設けられる被係合部と係合可能な係合部を有し、前記支持状態が解除され、且つ、前記係合部が前記被係合部と係合している状態において、前記回転体ユニットを前記軸線方向と交差する方向に移動させることにより、前記係合部と前記被係合部との係合を解除し、前記回転体ユニットを前記装置本体から外すことが可能であることを特徴とする。